【手続補正書】
【提出日】平成16年9月14日(2004.9.14)
【手続補正１】
【補正対象書類名】明細書
【補正対象項目名】特許請求の範囲
【補正方法】変更
【補正の内容】
【特許請求の範囲】
【請求項１】
上位プログラム処理の出力に基づく描画データを受け入れるインタフェースと、
前記描画データを変換してプリンタにより印刷可能なイメージデータを生成するイメージ生成処理部と、
インタフェースで受け入れた描画データに基づき１枚の印刷用媒体上に印刷する一組の描画データのイメージデータ配列が異なる場合に印刷する印刷用媒体の印刷領域の向きに応じて少なくとも１つの描画データのイメージデータを変換するイメージデータ変換部と、
前記イメージデータ変換部の変換に基づき前記印刷用媒体上の各印刷領域のイメージデータを編集する印刷データ編集部とを備えたことを特徴とする印刷画像処理装置。
【請求項２】
請求項１に記載の印刷画像処理装置において、
前記一組の描画データ中に、縦長ページと横長ページとが混在し、前記印刷用媒体上の全ての印刷領域を横長ページ用としたとき、
前記イメージデータ変換部は、
縦長ページのデータ配列を横長ページ用に配列変換し、
前記印刷データ編集部は、
縮小処理された横長ページのイメージデータと、縮小処理され、かつ、配列変換された縦長ページのイメージデータとを、それぞれ前記１枚の印刷用媒体上に割り付けられた印刷領域に連続的に編集することを特徴とする印刷画像処理装置。
【請求項３】
請求項１に記載の印刷画像処理装置において、
前記一組の描画データ中に、縦長ページと横長ページとが混在しており、前記印刷用媒体上の全ての印刷領域を縦長ページ用としたとき、
前記イメージデータ変換部は、
横長ページのデータ配列を縦長ページ用に配列変換し、
前記印刷データ編集部は、
縮小処理された縦長ページのイメージデータと、縮小処理され、かつ、配列変換された横長ページのイメージデータとを、それぞれ１枚の印刷用媒体上に割り付けられた印刷領域に連続的に編集することを特徴とする印刷画像処理装置。
【請求項４】
上位プログラム処理の出力に基づく描画データを受け入れて、
前記描画データに基づき１枚の印刷用媒体上に印刷する一組の描画データのイメージデータ配列が異なる場合に印刷する印刷用媒体の印刷領域の向きに応じて少なくとも１つの描画データのイメージデータを変換し、
前記一組の描画データを１枚の印刷用媒体上の印刷領域に割り付けたプリンタにより印刷可能なイメージデータを生成し、
前記イメージデータをプリンタに転送することを特徴とする印刷画像処理方法。
【手続補正２】
【補正対象書類名】明細書
【補正対象項目名】０００７
【補正方法】変更
【補正の内容】
【０００７】
【課題を解決するための手段】
本発明は、以上の点を解決するために、次の構成を採用する。
〈構成１〉
上位プログラム処理の出力に基づく描画データを受け入れるインタフェースと、前記描画データを変換してプリンタにより印刷可能なイメージデータを生成するイメージ生成処理部と、インタフェースで受け入れた描画データに基づき１枚の印刷用媒体上に印刷する一組の描画データのイメージデータ配列が異なる場合に印刷する印刷用媒体の印刷領域の向きに応じて少なくとも１つの描画データのイメージデータを変換するイメージデータ変換部と、前記イメージデータ変換部の変換に基づき前記印刷用媒体上の各印刷領域のイメージデータを編集する印刷データ編集部とを備えたことを特徴とする印刷画像処理装置。
【手続補正３】
【補正対象書類名】明細書
【補正対象項目名】０００８
【補正方法】変更
【補正の内容】
【０００８】
〈構成２〉
請求項１に記載の印刷画像処理装置において、前記一組の描画データ中に、縦長ページと横長ページとが混在し、前記印刷用媒体上の全ての印刷領域を横長ページ用としたとき、
前記イメージデータ変換部は、縦長ページのデータ配列を横長ページ用に配列変換し、
前記印刷データ編集部は、縮小処理された横長ページのイメージデータと、縮小処理され、かつ、配列変換された縦長ページのイメージデータとを、それぞれ前記１枚の印刷用媒体上に割り付けられた印刷領域に連続的に編集することを特徴とする印刷画像処理装置。
【手続補正４】
【補正対象書類名】明細書
【補正対象項目名】０００９
【補正方法】変更
【補正の内容】
【０００９】
〈構成３〉
請求項１に記載の印刷画像処理装置において、前記一組の描画データ中に、縦長ページと横長ページとが混在しており、前記印刷用媒体上の全ての印刷領域を縦長ページ用としたとき、前記イメージデータ変換部は、横長ページのデータ配列を縦長ページ用に配列変換し、前記印刷データ編集部は、縮小処理された縦長ページのイメージデータと、縮小処理され、かつ、配列変換された横長ページのイメージデータとを、それぞれ１枚の印刷用媒体上に割り付けられた印刷領域に連続的に編集することを特徴とする印刷画像処理装置。
【手続補正５】
【補正対象書類名】明細書
【補正対象項目名】００１０
【補正方法】変更
【補正の内容】
【００１０】
〈構成４〉
上位プログラム処理の出力に基づく描画データを受け入れて、前記描画データに基づき１枚の印刷用媒体上に印刷する一組の描画データのイメージデータ配列が異なる場合に印刷する印刷用媒体の印刷領域の向きに応じて少なくとも１つの描画データのイメージデータを変換し、前記一組の描画データを１枚の印刷用媒体上の印刷領域に割り付けたプリンタにより印刷可能なイメージデータを生成し、前記イメージデータをプリンタに転送することを特徴とする印刷画像処理方法。
【手続補正６】
【補正対象書類名】明細書
【補正対象項目名】００４１
【補正方法】変更
【補正の内容】
【００４１】
〈具体例３〉
図７は、具体例３の装置のブロック図である。
具体例３は、具体例１と同様に、１ページ目と２ページ目と３ページ目とがポートレート形式のページ２ａ，２ｂ，２ｃで、４ページ目がランドスケープ形式のページ２ｄであって、印刷のための原点座標が用紙の左下になるような場合の制御を説明する。なお、具体例１では、用紙の原点座標が用紙の右上になるようにした。従って、この具体例では、装置自体の構成は具体例１と変わらないが、データの配列変換の手順が具体例１と異なってくる。図７の縦長イメージバッファ４ｃ中のイメージデータは、具体例１とは逆の方向に配列変換されてランドスケープ形式のデータになる。そこで、そのイメージデータを一時格納する記憶領域１を設けた。
【手続補正７】
【補正対象書類名】明細書
【補正対象項目名】００４２
【補正方法】変更
【補正の内容】
【００４２】
図８は具体例３の装置の動作概略説明図である。
まず、図に示すポートレート形式のページ２ｃは、他のポートレート形式のページ２ａ，２ｂと同様に、上から順に矢印の方向に１ラインずつ処理されるようデータが配列されている。図中には、各ラインが各ページに罫線状に表示されている。まず、ポートレート形式のページ２ｃが縦と横、それぞれ１／√２にそのまま縮小されたイメージデータ２ｇに変換される。図７に示した配列変換処理部４ｂは、このイメージデータ２ｇを右端から１ラインずつ矢印の方向に順番に切り出すことによって、変換後のイメージデータ５ｅを生成する。具体例１では、この部分で、イメージデータを左端から順に読み出して配列変換処理をした。具体例３はこの読み出し順が異なる。このイメージデータ５ｅが上から１ライン分ずつ矢印の方向に順番に読み出されて、用紙イメージ５ｄの上に貼り付けられる。
【手続補正８】
【補正対象書類名】明細書
【補正対象項目名】００４６
【補正方法】変更
【補正の内容】
【００４６】
具体例４〉
図９は、具体例４の装置のブロック図である。
この具体例では、具体例１と同様、１ページ目、２ページ目、３ページ目がポートレート形式のページ２ａ，２ｂ，２ｃで、４ページ目がランドスケープ形式のページ２ｄの場合に、４ページを一組にして、１枚の用紙に印刷する動作を説明する。この処理中、用紙イメージ５ａの右上と右下に割りつけたポートレート形式のイメージデータ５ｃ，５ｄは、編集処理の都合上、記憶領域１に一時格納される。
【手続補正９】
【補正対象書類名】明細書
【補正対象項目名】００４７
【補正方法】変更
【補正の内容】
【００４７】
図１０は具体例４の装置の動作概略説明図である。
まず、図の上部に示すポートレート形式のページ２ｄは、上から順に矢印の方向に１ラインずつ処理されるようデータが配列されている。図中には、各ラインが各ページに罫線状に表示されている。このポートレート形式のページ２ｄが、縦と横、それぞれ１／√２にそのまま縮小されたイメージデータ５ｄに変換される。このイメージデータ５ｄは、矢印の方向に順番に１ライン分ずつ読み出される形式のイメージデータである。従って、これはそのままこの順に読み出されて用紙イメージ５ａの左下の領域に貼り付けられる。